(57)【要約】【課題】  設置場所や使用者のニーズに幅広く対応できる手摺を提供する。【解決手段】  手摺11は、両端部が上方に向かって垂直に折れ曲がった水平バー21の一方の垂直端部211に垂直バー22を直列状に接続してなる手摺本体2Aと、手摺本体2Aを水平バー21の両垂直端部211および垂直バー22の先端部において壁面W1,W2に固定するための３つのブラケット3とを備える。ブラケット3の一端部に、水平バーの垂直端部211または垂直バーの先端部221に回転自在に嵌められる保持筒部31が形成され、水平バーの垂直端部211または垂直バーの先端部221が、これらの先端に取り付けられたストッパ4によって保持筒部31から脱落不能となされる。ブラケット3の他端部に、固定手段によって壁面W1,W2に取り付けられる取付部32が形成されている。【選択図】  図１
2005282299.tif 000002
【特許請求の範囲】
【請求項１】
両端部が上方または下方に向かって垂直に折れ曲がった水平バー(21)の少なくとも一方の垂直端部(211)に垂直バー(22)を直列状に接続してなる手摺本体(2A)と、手摺本体(2A)を水平バー(21)の両垂直端部(211)および各垂直バー(22)の先端部(221)において壁面(W1)(W2)に固定するための３つまたは４つのブラケット(3)とを備え、
各ブラケット(3)の一端部に、水平バー(21)の垂直端部(211)または垂直バー(22)の先端部(221)に回転自在に嵌められる保持筒部(31)が形成され、手摺本体(2A)の端部を構成する水平バー(21)の垂直端部(211)または垂直バー(22)の先端部(221)が、これらの先端に取り付けられたストッパ(4)によって保持筒部(31)から脱落不能となされ、
各ブラケット(3)の他端部に、固定手段によって壁面(W1)(W2)に取り付けられる取付部(32)が形成されていることを特徴とする、手摺。
【請求項２】
両端部が上方または下方に向かって垂直に折れ曲がった水平バー(21)よりなる手摺本体(2B)と、手摺本体(2B)を水平バー(21)の両垂直端部(211)において壁面(W1)(W2)に固定するための２つのブラケット(3)とを備え、
各ブラケット(3)の一端部に、水平バー(21)の垂直端部(211)に回転自在に嵌められる保持筒部(31)が形成され、水平バー(21)の垂直端部(211)が、これらの先端に取り付けられたストッパ(4)によって保持筒部(31)から脱落不能となされ、
各ブラケット(3)の他端部に、固定手段によって壁面(W1)(W2)に取り付けられる取付部(32)が形成されていることを特徴とする、手摺。
【請求項３】
水平バー(21)における両垂直端部(211)どうしの間の水平中間部(212)が、平面より見て一方向に湾曲させられていることを特徴とする、請求項１または２記載の手摺。
【発明の詳細な説明】
【技術分野】
【０００１】
本発明は、トイレや浴室等に設置され、特に高齢者や身体障害者がトイレ等を安全に使用できるようにするための手摺に関する。
【背景技術】
【０００２】
この種の手摺として、水平バー部と水平バー部の一端から上方または下方に伸びる垂直バー部よりなるＬ型の手摺本体を備えたものが知られている。手摺本体は、金属パイプや樹脂パイプによって全体が一体に成形されており、複数のブラケットによって、壁面に取り付けられるようになっている。
【０００３】
上記のＬ型手摺の場合、通常、ブラケットの一端部が手摺本体に固定状に連結されているため、例えばコーナーを構成する２つの交差した壁面にまたがって設置することは不可能であり、設置箇所が単一の平坦な壁面に制限されていた。
【０００４】
また、Ｌ型手摺として、ブラケットの後端部に設けられる壁面への取付部が、玉継手によって可変自在となされたものも、従来より知られている（下記の特許文献１参照）。
この手摺の場合、ブラケットの取付部に備えられた玉継手によって、壁面の垂直誤差を吸収することができ、それによって施工性は向上するものの、可変角度があまり大きくないので、やはりコーナーを構成する交差した２つの壁面にまたがって設置することは不可能であった。
【０００５】
加えて、この種の手摺の場合、設置場所のサイズや使用者のニーズに応じて、手摺本体のサイズを決める必要があるが、上述した従来のＬ型手摺の場合、手摺本体が一体成形されているため、サイズの変更が難しく、対応するとしても、時間がかかる上、コストが高くつくという問題があった。
【特許文献１】特開２００２−２８５６８９号公報
【発明の開示】
【０００６】
本発明の目的は、上記の問題点を解決し、設置場所や使用者のニーズに幅広く対応できる手摺を提供することにある。
【０００７】
本発明による第１の手摺は、両端部が上方または下方に向かって垂直に折れ曲がった水平バーの少なくとも一方の垂直端部に垂直バーを直列状に接続してなる手摺本体と、手摺本体を水平バーの両垂直端部および各垂直バーの先端部において壁面に固定するための３つまたは４つのブラケットとを備えたものである。各ブラケットの一端部には、水平バーの垂直端部または垂直バーの先端部に回転自在に嵌められる保持筒部が形成され、手摺本体の端部を構成する水平バーの垂直端部または垂直バーの先端部が、これらの先端に取り付けられたストッパによって保持筒部から脱落不能となされている。そして、各ブラケットの他端部には、固定手段によって壁面に取り付けられる取付部が形成されている。
【０００８】
上記第１の手摺にあっては、各ブラケットを水平バーの垂直端部または垂直バーの先端部を中心にして回転させることにより、ブラケットの取付部の向きを３６０°の範囲で自由に変えることができる。したがって、上記の手摺によれば、単一の平坦な壁面に設置することはもとより、コーナーを構成する２つの交差した壁面にまたがって設置したり、水平方向にずれた２つのほぼ平行な壁面にまたがって設置することもできる。
【０００９】
また、上記第１の手摺の場合、手摺本体が、それぞれ別体に形成された水平バーと垂直バーとを接続することにより構成されているため、使用する水平バーおよび垂直バーの長さを適宜変えることにより、設置場所のサイズや使用者のニーズに迅速に対応することができ、コストも嵩まない。
【００１０】
次に、本発明による第２の手摺は、両端部が上方または下方に向かって垂直に折れ曲がった水平バーよりなる手摺本体と、手摺本体を水平バーの両垂直端部において壁面に固定するための２つのブラケットとを備えたものである。各ブラケットの一端部には、水平バーの垂直端部に回転自在に嵌められる保持筒部が形成され、水平バーの垂直端部が、これらの先端に取り付けられたストッパによって保持筒部から脱落不能となされている。そして、各ブラケットの他端部には、固定手段によって壁面に取り付けられる取付部が形成されている。
【００１１】
上記第２の手摺にあっては、ブラケットを水平バーの垂直端部を中心にして回転させることにより、ブラケットの取付部の向きを３６０°の範囲で自由に変えることができる。したがって、上記の手摺によれば、単一の平坦な壁面に設置することはもとより、コーナーを構成する２つの交差した壁面にまたがって設置したり、水平方向にずれた２つのほぼ平行な壁面にまたがって設置することもできる。
【００１２】
本発明による上記第１または第２の手摺において、水平バーにおける両垂直端部どうしの間の水平中間部が、平面より見て一方向に湾曲させられているのが好ましい。
【００１３】
上記のように、水平バーの水平中間部を平面より見て一方向に湾曲したものとすれば、該水平中間部が手前に向かって凸となる手前勝手と、奥に向かって凸となる奥勝手の２つの設置態様を適宜選択することが可能となる。
具体的に言うと、例えば、スペースが狭く、和式便器が斜めに設置されたトイレを、高齢者や身体障害者が使いやすいように、和式便器を洋式便器に交換するとともに、壁面に手摺を設置するリフォームを行う場合がある。この場合、上記第１または第２の手摺を、コーナーを構成する２つの壁面にまたがるようにかつ水平バーの水平中間部が手前勝手となるように設置すれば、便器と水平バーの水平中間部との距離が近くなる。一方、上記第１または第２の手摺を、前記２つの壁面にまたがるようにかつ水平バーの水平中間部が奥勝手となるように設置すれば、便器と水平バーの水平中間部との距離が遠くなる。したがって、上記構成によれば、設置場所のサイズや使用者のニーズに応じて、便器と水平バーの水平中間部との距離を容易に調整することが可能であり、便利である。
【発明を実施するための最良の形態】
【００１４】
次に、本発明の第１の実施形態を図１〜図５を参照して説明する。この実施形態は、本発明による第１の手摺をトイレ用手摺に適用したものである。
【００１５】
図１は、本発明による手摺の全体を示したものである。図示の手摺(11)は、水平バー(21)の一方の端部に垂直バー(22)の下端部を接続してなる手摺本体(2A)と、手摺本体(2A)を水平バー(21)の両端部(211)および垂直バー(22)の上端部（先端部）(221)において壁面(W1)(W2)に固定するための３つのブラケット(3)とを備えた、Ｌ型のものである。
【００１６】
水平バー(21)は、その両端部(211)が上方に向かって垂直に折れ曲がっているとともに、両垂直端部(211)どうしの間の水平中間部(212)が平面より見て一方向に湾曲させられている。なお、垂直端部(211)は、必要に応じて、その両方が下方に向かって垂直に折れ曲がったものとしてもよいし、また、一方が上方に向かって、他方が下方に向かって垂直に折れ曲がったものとしてもよい。
【００１７】
上記の水平バー(21)は、例えば、所定形状に曲げ加工されたステンレス鋼等の金属パイプによって形成されている。なお、水平バー(21)を金属パイプ製とする場合、全体が１本のパイプによって形成されてもよいが、形状がやや複雑になるため、２〜３本のパイプを溶接やネジ接合等によって接合することにより形成されていてもよい。その他、水平バー(21)は、樹脂パイプ等によって形成されていてもよい。
【００１８】
水平バー(21)の垂直端部(211)は、水平バー(21)のその他の部分と比べてやや外径が小さいものとなされている。垂直端部(211)には、雌ネジ部(213)が形成されている。
【００１９】
垂直バー(22)は、例えば、ステンレス鋼等の金属パイプによって形成されるが、その他、樹脂パイプ等によって形成されていてもよい。垂直バー(22)の下端部（基端部）には、水平バー(21)の垂直端部(211)の雌ネジ部(213)にねじ合わせられる雄ネジ部(222)が、下方に突出するように形成されている。水平バー(21)の垂直端部(211)と垂直バー(22)の一端部との接続を、上記のようなネジ接合によって行うようにすれば、手摺本体(2A)の組立が容易であり、また、長さの異なる複数の水平バー(21)および垂直バー(22)を用意しておいて、設置箇所の状況や使用者のニーズに応じて、施工現場で細かいサイズ調整を行うことが可能となる。もっとも、ネジ接合以外の接合手段（例えば溶接等）によって、水平バー(21)と垂直バー(22)とを接続することも可能である。垂直バー(22)の上端部（先端部）(221)は、垂直バー(22)のその他の部分と比べてやや外径が小さいものとなされている。垂直バー(22)の上端部(221)には、雌ネジ部(223)が形成されている。
【００２０】
各ブラケット(3)の一端部には、水平バー(21)の垂直端部(211)または垂直バー(22)の先端部(221)に回転自在に嵌められる保持筒部(31)が形成されている。保持筒部(31)の内径は、水平バー(21)の垂直端部(211)および垂直バー(22)の先端部(221)の外径よりもやや大きく、かつ、水平バー(21)および垂直バー(22)における上記部分(211)(221)以外の部分の外径よりも小さいものとなされている。保持筒部(31)の長さは、水平バー(21)の垂直端部(211)および垂直バー(22)の先端部(221)の長さとほぼ等しいものとなされている。保持筒部(31)は、例えばステンレス鋼等の金属パイプによって構成される。
【００２１】
手摺本体(2A)の２つの端部を構成する水平バー(21)の他方（図１の左側）の垂直端部(211)および垂直バー(22)の先端部(221)は、これらの先端に取り付けられたストッパ(4)によって、ブラケット(3)の保持筒部(31)から脱落不能となされている。ストッパ(4)は、円板状のベース部(41)と、ベース部(41)の中心から下方に突出した雄ネジ部(42)とを備えており、雄ネジ部(42)が、水平バー(21)の他方の垂直端部(211)および垂直バー(22)の先端部(221)に形成された雌ネジ部(213)(223)にねじ込まれるようになっている。そして、ストッパ(4)のベース部(41)の外周部分が、ブラケット(3)の保持筒部(31)の上端面に受けられることにより、水平バー(21)の他方の垂直端部(211)および垂直バー(22)の先端部(221)が保持筒部(31)から脱落不能となされている。
【００２２】
ストッパ(4)のベース部(41)下面および垂直バー(22)の下端面と、これらの下方に位置するブラケット(3)の保持筒部(31)の上端面との間には、それぞれパッキン(5)が介在されている。また、水平バー(21)における各垂直端部(211)下端の環状段差とこれらの上方に位置するブラケット(3)の保持筒部(31)の下端面との間、および垂直バー(22)における先端部(221)下端の環状段差とこれの上方に位置するブラケット(3)の保持筒部(31)の下端面との間にも、それぞれパッキン(8)が介在されている。
【００２３】
各ブラケット(3)の他端部には、タッピングネジ等の固定手段によって壁面(W1)(W2)に取り付けられる取付部(32)が形成されている。取付部(32)は、外周部に複数のネジ挿通孔(321)があけられたステンレス鋼等の金属製円板によって構成されている。
【００２４】
ブラケット(3)の保持筒部(31)と取付部(32)とは、水平方向に伸びる連結部(33)を介して互いに連結されている。連結部(33)は、例えばステンレス鋼等の金属パイプによって構成される。連結部(33)の一端は、保持筒部(31)の一側面に溶接されている。連結部(33)の他端は、取付部(32)の中心部にあけられた貫通孔の周縁部に溶接されている。連結部(33)の外周に、取付部(32)を被覆する化粧フランジ(6)が、環状パッキン(7)を介して嵌められている。図２に示すように、パッキン(7)は、化粧フランジ(6)の内周縁に形成された複数の爪部(61)を外側に折り曲げることにより、化粧フランジ(6)の裏面側に固定されるようになっている。
【００２５】
上記の手摺(11)にあっては、図１に示すように、ブラケット(3)を水平バー(21)の垂直端部(211)または垂直バー(22)の先端部(221)を中心にして回転させることにより、ブラケット(3)の取付部(32)の向きを３６０°の範囲で自由に変えることができる。
【００２６】
図３および図４は、図１に示す手摺(11)をトイレに設置した状態を示すものである。これらの図において、上記手摺(11)は、洋式便器(S)が斜めに設置されたトイレにおいて、コーナーを構成する２つの直交した壁面(W1)(W2)にまたがるように、かつ水平バー(21)の水平中間部(212)が手前勝手となるように設置されている。
【００２７】
水平バー(21)の一方（図３の左側）の垂直端部(211)を固定するためのブラケット(3)は、その取付部(32)が一方（図３の左側）の壁面(W1)を向くように回転させられ、取付部(32)のネジ挿通孔(321)を通じて同壁面(W1)にタッピングネジ（図示略）がねじ込まれている。一方、水平バー(21)の他方（図３の右側）の垂直端部(211)および垂直バー(22)の先端部(221)を固定するための２つのブラケット(3)は、これらの取付部(32)が他方（図３の右側）の壁面(W2)を向くように回転させられ、取付部(32)のネジ挿通孔(321)を通じて同壁面(W2)にタッピングネジ（図示略）がねじ込まれている。なお、壁面(W1)(W2)への取付部(32)の固定手段は、上述したタッピングネジの他、釘、接着等のその他の手段であってもよく、また、これらを併用したものであってもよい。
【００２８】
図４に示すように、水平バー(21)の水平中間部(212)が手前勝手となされているので、便器(S)と水平バー(21)の水平中間部(212)との距離が近くなっている。そのため、使用者にとっては、便器(S)に着座する際および便器(S)から立ち上がる際に、水平中間部(212)が近くに位置することになるため、楽である。
【００２９】
図５は、手摺(11)を、図３および図４とは異なる態様で設置した例を示すものである。即ち、図５において、手摺(11)は、水平バー(21)の水平中間部(212)が奥勝手となるように設置されている。この態様の手摺(11)は、図４の態様から、垂直バー(22)の下端部を水平バー(21)の他方の垂直端部(211)を付け替えて、各ブラケットを所用の向きに所要角度回転させることによって、簡単に構成することができる。図５の設置態様は、便器(S)と水平バー(21)の水平中間部(212)との距離が遠くなるので、トイレ内のレイアウトや使用者の体型等により、水平中間部(212)が便器(S)からやや離れた位置にある方が好ましい場合に採用される。
【００３０】
図１〜図５に示した上記手摺(11)は、手摺本体(2A)を構成する水平バー(21)や垂直バー(22)の長さを変えることによって、設置場所のサイズや使用者のニーズに、迅速にかつ低コストで細かく対応することができる。
【００３１】
図６は、本発明の第２の実施形態を示したものである。この実施形態は、本発明による第２の手摺をトイレ用手摺に適用したものである。図６に示す手摺(12)は、両端部が上方に垂直に折れ曲がった水平バー(21)よりなる手摺本体(2B)と、手摺本体(2B)を水平バー(21)の両端部において壁面(W1)(W2)に固定するための２つのブラケット(3)とを備えたものである。ブラケット(3)の一端部に形成された保持筒部(31)は、水平バー(21)の垂直端部(211)に回転自在に嵌められている。そして、水平バー(21)の垂直端部(211)が、これらの先端に取り付けられたストッパ(4)によって保持筒部(31)から脱落不能となされている。その他の構成は、図１〜図５に示す第１の実施形態の手摺(11)と実質的に同じである。
【００３２】
図６において、上記手摺(12)は、洋式便器（図示略）が斜めに設置されたトイレにおいて、コーナーを構成する２つの直交した壁面(W1)(W2)にまたがるように、かつ水平バー(21)の水平中間部(212)が手前勝手となるように設置されている。また、図示は省略したが、上記手摺(12)を、図５の場合と同様に、水平バー(21)の水平中間部(212)が奥勝手となるように設置することも勿論可能である。
【００３３】
図７は、本発明の第３の実施形態を示したものである。この実施形態は、以下の点を除いて、図６に示す第２の実施形態と実質的に同じである。即ち、図７の手摺(12)にあっては、手摺本体(2B)が、両端部が下方に垂直に折れ曲がった水平バー(21)よりなる。そして、水平バー(21)の各垂直端部(211)に、各ブラケット(3)の保持筒部(31)が下方から嵌められ、これらの下端（先端）に取り付けられたストッパ(4)によって、垂直端部(211)が保持筒部(31)から脱落不能となされている。
【００３４】
図７の水平バー(21)は、図６の水平バー(21)と同一構造のものを、垂直端部(211)の向きが上下逆になるように、各ブラケット(3)に組み合わせることによって、形成されている。したがって、本発明の第２の手摺(12)の場合、１つの水平バー(21)を用意しておくだけで、ブラケット(3)の取付位置を変えることなく、水平バー(2)の水平中間部(212)の高さ位置を、図６および図７に示すような２通りの中から選択することが可能となる。
また、図７の手摺(12)にあっても、水平バー(21)の水平中間部(212)が奥勝手となるように設置することが可能である（図５参照）。
【００３５】
上記の各実施形態はあくまでも例示にすぎず、特許請求の範囲に記載された本発明の要旨を逸脱しない範囲内で適宜に変更を加えた上で本発明を実施することも勿論可能である。
【図面の簡単な説明】
【００３６】
【図１】本発明の第１の実施形態を示すものであって、手摺の分解斜視図である。
【図２】図１の手摺に用いられているブラケットの拡大斜視図である。
【図３】図１の手摺をトイレに設置した状態を示す斜視図である。
【図４】図１の手摺をトイレに設置した状態を示す水平断面図である。
【図５】図１の手摺を、図３および図４とは異なる形態でトイレに設置した状態を示す水平断面図である。
【図６】本発明の第２の実施形態を示すものであって、手摺をトイレに設置した状態を示す斜視図である。
【図７】本発明の第３の実施形態を示すものであって、手摺をトイレに設置した状態を示す斜視図である。
【符号の説明】
【００３７】
(11)(12)：手摺
(2A)(2B)：手摺本体
(21)：水平バー
(211)：垂直端部
(212)：水平中間部
(22)：垂直バー
(221)：上端部（先端部）
(3)：ブラケット
(31)：保持筒部
(32)：取付部
(4)：ストッパ
(W1)(W2)：壁面
【図１】
2005282299.tif 000003
【図２】
2005282299.tif 000004
【図３】
2005282299.tif 000005
【図４】
2005282299.tif 000006
【図５】
2005282299.tif 000007
【図６】
2005282299.tif 000008
【図７】
2005282299.tif 000009